(57)【要約】【課題】本発明は、本体フレーム側の取付部の平面度が十分に保たれていない場合であっても、簡単な構成で、光学フレームにおける歪みの発生を効果的に回避できできるとともに、箱状構造体の重量の軽量化とコストの低減を図ることができる画像形成装置を提供することを目的とする。【解決手段】画像形成装置本体側フレーム１６の上面１６ａの左右両端には、画像読取部１２を支持する取付台３５、３６が設けられており、取付台３５の前端部３５ａには、調整部材３７が設けられている。調整部材３７は、その高さを調整することができ、これにより、取付台３５の前端部３５ａの高さを調整する。当該調整を行った後、画像読取部１２を、支持部材１７ｂ〜１７ｅが形成された光学フレーム１７の底面１７ａ側から取付台３５、３６に載置し、画像読取部１２を本体側フレーム１６に装着する。【選択図】    図３
2004274651.tif 000002
【特許請求の範囲】
【請求項１】
光源、ミラー等を有する光学系ユニットが箱状構造体からなる光学フレーム内を副走査方向に移動することにより原稿の読み取りを行う画像読取部が装着される画像形成装置において、
前記画像読取部が装着される画像形成装置本体側フレームには、前記光学フレームを支持する取付部が設けられており、前記取付部には、前記取付部の少なくとも１ヶ所の高さを調整するための調整手段が設けられていることを特徴とする画像形成装置。
【請求項２】
光源、ミラー等を有する光学系ユニットが箱状構造体からなる光学フレーム内を副走査方向に移動して原稿の読み取りを行う画像読取部が装着される画像形成装置において、
前記画像読取部が装着される画像形成装置本体側フレームには、前記光学フレームを支持する取付部が設けられており、前記取付部を前記光学フレームと略平行にスライドさせることにより、前記取付部の高さを調整することを特徴とする画像形成装置。
【請求項３】
前記光学フレームに形成された支持部材と当接する前記取付部の面が階段状に形成されており、前記取付部の高さが段階的に調整可能であることを特徴とする請求項２に記載の画像形成装置。
【発明の詳細な説明】
【０００１】
【発明の属する技術分野】
本発明は、デジタル複写機、イメージスキャナ、ファクシミリ等の高画質が要求される画像形成装置に関するものであって、光源、ミラー等を有する箱状構造体からなる光学フレームと画像形成装置本体の装着機構に関する。
【０００２】
【従来の技術】
画像形成装置に装着される画像読取装置は、一般に、光源、ミラー等を有する光学系キャリッジを有し、この光学系キャリッジを箱状構造体である光学フレーム内で副走査方向に移動させることにより、ＣＣＤ等の撮像素子で原稿の画像を読み取る構成となっている。又、この箱状構造体は、内部で光学系キャリッジを移動させるために空洞状になっている。従って、箱状構造体である光学フレーム内の空間には、当該箱状構造体の機械的強度、及び剛性を確保するための補強部材を配置することはできず、箱状構造体の周囲で機械的強度や剛性を確保する構造にせざるを得ない。
【０００３】
ここで、箱状構造体の周囲のみで、これらの機械的強度や剛性を確保するためには、構造上の工夫を施す必要があるが、従来の構造では機械的強度や剛性が不足がちになっていた。
【０００４】
又、光学フレームを画像形成装置本体側に装着する際に、本体フレーム側の取付部の平面度が十分に保たれていないと、光学フレームに歪みが発生しやすくなる。ここで、光学系キャリッジは、光学フレーム内で副走査方向に移動する際に、当該光学フレーム内に敷設されたレール上面を移動するため、光学フレームに歪みが生じると、光学系キャリッジを案内するレール面も歪んでしまい、読み取り画像信号の精度に影響が生じる。その結果、当該画像信号に基づいて形成される画像の品質に悪影響を及ぼしてしまう。
【０００５】
ここで、これらの問題点を解決するために、例えば、箱状構造体の構成部材である当該箱状構造体の側板と、当該側板と直交する方向に結合されるステーとをパイプ状に形成し、光学フレームの剛性を高めた画像読取装置が開示されている。この画像読取装置においては、箱状構造体の外部からの負荷に対する抵抗力を大きくして箱状構造体の剛性を向上させているため、本体フレーム側の取付部の平面度が十分に担保されていない場合であっても、光学フレームにおける歪みの発生を効果的に回避でき、結果として、読み取り画像信号の精度を高めるとともに、当該画像信号に基づて形成される画像の品質を向上させることができる（例えば、特許文献１参照）。
【０００６】
【特許文献１】
特開平１１−１１２７００号公報（第３−４頁、第１−５図）
【０００７】
【発明が解決しようとする課題】
しかし、上述の画像読取装置においては、箱状構造体の剛性を向上させることはできるものの、パイプ状に形成された特殊な構成部材を設けなければならないため、箱状構造体の構成が複雑になり、箱状構造体の重量が増すとともにコストが高くなるという問題があった。又、これらの特殊部材をスポット溶接により結合しなければならないため、製造工程が煩雑になるという問題があった。
【０００８】
本発明は、上記問題点を解決し、本体フレーム側の取付部の平面度が十分に保たれていない場合であっても、簡単な構成で、光学フレームにおける歪みの発生を効果的に回避できできるとともに、箱状構造体の重量の軽量化とコストの低減を図ることができる画像形成装置を提供することを目的とする。
【０００９】
【課題を解決するための手段】
上記目的を達成するために、本発明は、光源、ミラー等を有する光学系ユニットが箱状構造体からなる光学フレーム内を副走査方向に移動することにより原稿の読み取りを行う画像読取部が装着される画像形成装置において、画像読取部が装着される画像形成装置本体側フレームには、光学フレームを支持する取付部が設けられており、取付部には、取付部の少なくとも１ヶ所の高さを調整するための調整手段が設けられていることを特徴とする。
【００１０】
又、本発明においては、光源、ミラー等を有する光学系ユニットが箱状構造体からなる光学フレーム内を副走査方向に移動して原稿の読み取りを行う画像読取部が装着される画像形成装置において、画像読取部が装着される画像形成装置本体側フレームには、光学フレームを支持する取付部が設けられており、取付部を光学フレームと略平行にスライドさせることにより、取付部の高さを調整することを特徴とする。
【００１１】
この場合、光学フレームに形成された支持部材と当接する取付部の面を階段状に形成し、取付部の高さを段階的に調整可能となるようにすることができる。
【００１２】
【発明の実施の形態】
以下、図面を参照して、本発明の第１の実施形態を詳細に説明する。図１は、本発明の第１の実施形態に係る画像形成装置の全体構成を示す概略図である。
【００１３】
図１に示す様に、この画像形成装置１は、反転現像により画像形成を行う複写機であって、大きくは、一方向（図中のＡ方向）に回転する感光体ドラム２、用紙を収納した複数の給紙カセット３、これら給紙カセット３の各端部上方に配設され感光体ドラム２に向けて用紙を供給する給紙ユニット４、感光体ドラム２に対向するとともに、当該感光体ドラム２の上記回転方向に沿って配設された帯電ユニット５、現像ユニット６、転写ユニット７、及びクリーニングユニット８、その転写ユニット７から用紙を受け入れる定着ユニット９、この定着ユニット９から用紙を受け入れ画像形成装置１の外部に用紙を排出する排出部１０、画像形成装置１の上部に配設され複写原稿を搬送する原稿搬送部１１、この原稿搬送部１１の下部に配設され複写原稿の画像を読み取る画像読取部１２から構成される。
【００１４】
この様な構成のもとで、複写原稿は原稿搬送部１１により画像読取部１２に搬送されて、この画像読取部１２によりその複写原稿の画像が読み取られ、これとともに感光体ドラム２の表面は帯電ユニット５により一様に帯電させられる。次いで、画像読取部１２によって読み取られた画像に基づく光が、不図示の光学部により感光体ドラム２の表面に照射されてその画像の静電潜像が形成され、その後、現像ユニット６によりその静電潜像にトナーを付着させトナー像が形成される。
【００１５】
更に、給紙カセット３に収納された用紙は、給紙ユニット４により用紙供給経路２１を経由して感光体ドラム２と転写ユニット７との間に供給され、次いで、この転写ユニット７により感光体ドラム２からトナー像が用紙上に引き寄せられて転写される。その後、トナー像が転写された用紙は感光体ドラム２から分離されて、用紙搬送経路２２を経由して定着ユニット９に搬送され、この定着ユニット９によりそのトナー像が転写紙上に定着される。
【００１６】
一方、転写ユニット７によるトナー像転写後、感光体ドラム２の表面に残留するトナーは、クリーニングユニット８により完全に除去される。そして、残留トナーが除去された感光体ドラム２は、複数のＬＥＤ等で構成された不図示の除電部によりその表面の残留電荷が除去され、帯電ユニット５に至る。
【００１７】
用紙搬出経路２３内で、定着ユニット９の直後には、第１の分岐爪１３が設けられている。この第１の分岐爪１３は、図示しないソレノイド等により連結されており、当該ソレノイドの作動又は非作動により第１の分岐爪１３を制御することにより、用紙の搬送経路を切り換えている。即ち、トナー像が定着された転写紙をそのまま用紙搬出経路２３に沿って、排出部１０により画像形成装置１の外部に排出させるか、第１の分岐爪１３の下方に設けられた反転経路１５に向かって搬送させるかを、当該第１の分岐爪１３で切り換えている。
【００１８】
反転経路１５には、搬送ローラ５４とガイドローラ５４ａが設けられており、反転経路１５の搬送方向下流側には、トナー像が定着された転写紙を搬送経路に沿って反転搬送する両面ユニット１４が設けられている。又、両面ユニット１４は、転写紙の反転搬送を行うための反転ローラ５０、及びガイドローラ５０ａを備えている。
【００１９】
反転ローラ５０、及びガイドローラ５０ａにより反転搬送された転写紙は、第２の分岐爪２４により、両面ユニット１４の搬送方向下流側の第１の返送経路２５、又は第２の返送経路２６のいずれかに分岐される。尚、第２の分岐爪２４の切り替えは、第１の分岐爪１３と同様に、図示しないソレノイド等により行われる。
【００２０】
図１に示す様に、第２の返送経路２６は、用紙搬出経路２３に通じているため、用紙の表面のみに印刷をし、当該印刷された面を裏にして（印刷された面と反対の面を表にして）排出したい場合は、定着ユニット９を出た転写紙が反転経路１５から両面ユニット１４を経て、第２の返送経路２６を通過し、用紙搬出経路２３へ戻ってくる様に、第１、及び第２の分岐爪１３、２４を作動させる。
【００２１】
一方、第１の返送経路２５は、用紙供給経路２１に通じているため、用紙の両面に印刷をしたい場合は、定着ユニット９を出た転写紙が反転経路１５から両面ユニット１４に設けられた第１の返送経路２５を通過し、給紙ユニット４を経由して、用紙供給経路２１に戻ってくる様に、第１、及び第２の分岐爪１３、２４を作動させる。用紙供給経路２１に戻ってきた用紙は、再度、感光体ドラム２と転写ユニット７との間に供給され、次いで、この転写ユニット７により感光体ドラム２からトナー像が用紙裏面上に引き寄せられて転写される。その後、トナー像が転写された用紙は感光体ドラム２から分離されて、用紙搬送経路２２を経由して定着ユニット９に搬送され、この定着ユニット９によりそのトナー像が用紙裏面上に定着される。
【００２２】
図２は、本発明の第１の実施形態に係る画像形成装置における画像読取部の全体構成を示す概略図である。画像読取部１２において、箱状構造体からなる光学フレーム１７の上面には原稿台ガラス１８が設けられており、光学フレーム１７の内部には、原稿台ガラス１８上に置かれた原稿１９に光を照射して原稿を照明する光源２０と、原稿１９により反射された照射光を９０度方向に反射する第１ミラー２７とから構成される第１光学系ユニット２８と、第１ミラー２７による反射光を９０度方向に反射する第２ミラー２９と、第２ミラー２９による反射光を更に９０度方向に反射する第３ミラー３０とから構成される第２光学系ユニット３１が設けられている。
【００２３】
又、光学フレーム１７の内部には、結像レンズ３２と、ＣＣＤ３４が搭載されたＣＣＤユニット３３が設けられており、第３ミラー３０により反射された原稿１９からの反射光は、ＣＣＤ３４に対面して設けられた結像レンズ３２により収束され、当該結像レンズ３２を介してＣＣＤ３４に入射し、当該ＣＣＤ３４上に結像される。
【００２４】
ここで、上記構成においては、結像レンズ３２、及びＣＣＤ３４は光学フレーム１７に固定されているが、光源２０が移動しても原稿側光路長が変化しないようにするために、光源２０と第１ミラー２７とから構成される第１光学ユニット２８と、第２ミラー２９と第３ミラー３０とから構成される第２光学ユニット３１は、各々、光学フレーム１７内に敷設された図示しないレール上面を一定速度で移動可能となるように設けられており、これらの第１、第２光学系ユニット２８、３１が光学フレーム１７内を副走査方向に移動することにより、原稿１９の読み取りが行われる構成となっている。
【００２５】
次に、図面を参照して、本発明の第１の実施形態に係る画像形成装置における画像読取部の画像形成装置本体への装着機構について説明する。図３は、本発明の第１の実施形態に係る画像形成装置における画像読取部が装着される画像形成装置本体側フレームの概略構成を示す斜視図であり、図４は、本発明の第１の実施形態に係る画像形成装置における画像読取部の外観構成を示す斜視図である。
【００２６】
図３に示す様に、画像形成装置本体側フレーム１６の上面１６ａの左右両端には、画像読取部１２を本体側フレーム１６に装着する際に、当該画像読取部１２を支持する取付台３５、３６が設けられており、取付台３５の前端部３５ａには、調整部材３７が設けられている。この調整部材は、例えば、ゴム等の弾性体や、樹脂により形成されている。一方、画像読取部１２を構成する光学フレーム１７の底面１７ａの４つの端部には、図４に示す様に、ゴム等の弾性体により形成された支持部材１７ｂ〜１７ｅが形成されている。
【００２７】
画像読取部１２を本体側フレーム１６に装着する際には、図３に示す様に、画像読取部１２を、支持部材１７ｂ〜１７ｅが形成された光学フレーム１７の底面１７ａ側から取付台３５、３６に載置することにより、取付台３５、３６が光学フレーム１７を支持する構成となっている。即ち、支持部材１７ｂ〜１７ｅのうち、支持部材１７ｂが取付台３５の前端部３５ａに設けられた調整部材３７と当接し、支持部材１７ｃが取付台３５の後端部３５ｂと当接し、支持部材１７ｄが取付台３６の後端部３６ｂと当接し、支持部材１７ｅが取付台３６の前端部３６ａと当接することにより、光学フレーム１７が、取付台３５、３６により支持される構成となっている。
【００２８】
ここで、調整部材３７は、上述の支持部材１７ｂと当接する調整部材３７が設けられた取付台３５の前端部３５ａの高さを調整するためのものである。つまり、光学フレーム１７は、取付台３５の前端部３５ａと後端部３５ｂ、及び取付台３６の前端部３６ａと後端部３６ｂの４ヶ所により支持されるが、当該４ヶ所のうちの１ヶ所である取付台３５の前端部３５ａの高さを調整するためのものである。
【００２９】
図６は、本発明の第１の実施形態に係る画像形成装置における調整部材の調整機構の具体例を説明するための斜視図である。図６に示す様に、調整部材３７はネジ部３８を有しており、当該ネジ部３８は取付台３５に形成されたネジ穴３９に挿通されている。そして、調整部材３７を図中の矢印４０の方向に回転させ、調整部材３７を上下方向（図中の矢印４１の方向）に移動させることにより、調整部材３７の高さを調整することができる構成となっている。即ち、本実施形態においては、この様な簡単な構成により、調整部材３７の高さを調整できる構成となっている。
【００３０】
尚、画像読取部１２を本体側フレーム１６に装着するにあたり、取付面（つまり、前述の支持部材１７ｂ〜１７ｅと当接する部分）の平面度を確保し、光学フレーム１７における歪みの発生を回避する必要があるため、調整部材３７の高さを適正な位置に調整する必要があるが、本実施形態においては、調整部材３７の高さを調整する際に、所定の治具（不図示）を使用する。この治具には、例えば、ダイヤルゲージが設けられており、図２において説明した第１光学ユニット２８と第２光学ユニット３１が一定速度で移動する、光学フレーム１７内に敷設されたレール上面の平行度を確認することができるようになっている。本実施形態においては、まず、当該治具による確認を行い、その後、調整部材３７の高さを、前述の適正な位置に調整する。調整部材３７の高さを適正な位置に調整した具体例として、図７に、調整部材３７を図中の矢印４２の方向に調整した状態を示す。
【００３１】
調整部材３７の高さを適正な位置に調整した後、図８に示す様に、画像読取部１２を本体側フレーム１６に装着する。この場合も、図３において説明した様に、画像読取部１２を、支持部材１７ｂ〜１７ｅが形成された光学フレーム１７の底面１７ａ側から取付台３５、３６に載置することにより、光学フレーム１７が取付台３５、３６に支持される。ここで、本実施形態においては、調整部材３７の高さが前述の適正な位置に調整されているため、光学フレーム１７における歪みの発生を回避するすることができることになる。
【００３２】
即ち、上記従来技術において説明した様に、本体側フレームに設けられた取付部の平面度が十分に保たれていない状態で、光学フレームを画像形成装置本体側に装着すると、光学フレームに歪みが発生しやすくなるが、本実施形態においては、取付台３５に設けられた調整部材３７の高さを調整し、光学フレーム１７が支持される４ヶ所のうち、取付台３５の前端部３５ａの高さを調整することにより、上述した取付面の平面度を確保することが可能になる。
【００３３】
従って、画像読取部１２を本体側フレーム１６に装着するにあたり、本体側フレーム１６に設けられた取付台３５、３６の平面度が十分に保たれていない状態であっても、光学フレーム１７の取付面の平面度を確保することができるため、光学フレーム１７における歪みの発生を回避することができるようになる。その結果、光学フレーム１７内に敷設されたレール上面の平行度を確保することができるため、第１光学ユニット２８と第２光学ユニット３１が当該レール上を適正に移動することができ、原稿１９の画像情報を精度良く読み取るとともに、当該画像信号に基づいて形成される画像の品質を担保することが可能になる。
【００３４】
又、本実施形態においては、調整部材３７を取付台３５の前端部３５ａに設けるだけで良く、箱状構造体である光学フレーム１７の剛性を向上させるための特殊な構成部材を設ける必要がないため、簡単な構成で、光学フレーム１７の重量の軽量化とコストの低減を図ることができる。又、光学フレーム１７の構造が簡素になるため、製造工程が簡易になる。
【００３５】
次に、図面を参照して、本発明の第２の実施形態に係る画像形成装置における画像読取部の画像形成装置本体への装着機構について説明する。図９は、本発明の第２の実施形態に係る画像形成装置における画像読取部が装着される画像形成装置本体側フレームの概略構成を示す斜視図であり、図１０は、本発明の第２の実施形態に係る画像形成装置における取付台の概略構成を示す側面図である。尚、上記第１の実施形態において既に説明したものについては、同一の符号を付し、ここでは詳しい説明を省略する。
【００３６】
図９に示す様に、本実施形態においては、画像形成装置本体側フレーム１６の上面１６ａの左右両端のうちの一端側に取付台３５が設けられている点は上記第１の実施形態と同様であるが、上面１６ａの他端側に、画像読取部１２を本体側フレーム１６に装着する際に、光学フレーム１７を支持する取付台５０と、当該取付台５０に並列して、画像読取部１２を支持する取付台５１が別途設けられている点が異なる。この取付台５１は、第１の実施形態において取付台３５の前端部３５ａに設けられていた調整部材３７に代替して設けられたものであり、例えば、ゴム等の弾性体や、樹脂により形成されている。又、図９に示す様に、取付台５１は、その上面５２が階段状（図９においては、４段階）に形成されており、上面５２は、４つの面５２ａ〜５２ｄにより構成されている。又、図１０に示す様に、これら４つの面５２ａ〜５２ｄは、同一のピッチＡ（例えば、０．１〜０．５ｍｍ）で形成されている。
【００３７】
画像読取部１２を本体側フレーム１６に装着する際には、画像読取部１２を、支持部材１７ｂ〜１７ｅが形成された光学フレーム１７の底面１７ａ側から取付台３５、５０、及び５１に載置することにより、取付台３５、５０、及び５１が光学フレーム１７を支持する構成となっている。即ち、本実施形態においては、支持部材１７ｂ〜１７ｅのうち、支持部材１７ｂが取付台３５の前端部３５ａと当接し、支持部材１７ｃが取付台３５の後端部３５ｂと当接し、支持部材１７ｄが取付台５０の後端部５０ｂと当接し、支持部材１７ｅが取付台５１の上面５２と当接することにより、光学フレーム１７が、取付台３５、５０、及び５１により支持される構成となっている。
【００３８】
図１１は、本発明の第２の実施形態に係る画像形成装置における取付台の概略構成を示す斜視図であり、図１２は、本発明の第２の実施形態に係る画像形成装置における取付台の調整機構の具体例を説明するための上面図である。
【００３９】
図１１、図１２に示す様に、取付台５１には、切り欠き部５３が形成されており、当該切り欠き部５３には、ネジ５４が挿入されている。又、取付台５１の底５５には、切り欠き部５３と比較し、幅と長さが短い切り欠き部５６が形成されており、ネジ５４を切り欠き部５６、及び本体フレーム１６側に形成されたネジ穴５９（図１０参照）に挿通することにより、取付台５１は、図１２の矢印５７の方向に移動可能となる様に本体フレーム１６に係止され、光学フレーム１７（及び、本体フレーム１６）と略平行にスライドさせることができる構成となっている（図９、図１０参照）。
【００４０】
図１３は、本発明の第２の実施形態に係る画像形成装置における取付台の高さを調整する前の状態を示す側面図であり、図１４は、本発明の第２の実施形態に係る画像形成装置における取付台の高さを調整した後の状態を示す側面図である。
【００４１】
本実施形態においては、第１の実施形態とは異なり、取付台５１の高さを適正な位置に調整する前に、画像読取部１２を本体側フレーム１６に装着する。この場合、図９において説明した様に、画像読取部１２を、支持部材１７ｂ〜１７ｅが形成された光学フレーム１７の底面１７ａ側から取付台３５、５０、及び５１に載置することにより、取付台３５、５０、及び５１が光学フレーム１７を支持し、支持部材１７ｅは取付台５１の上面５２（図１３においては、面５２ａ）と当接する。しかし、前述のごとく、取付台５１の高さを適正な位置に調整する前に、画像読取部１２を本体側フレーム１６に装着するため、この段階では、図１３に示す様に、支持部材１７ｅと当接する取付台５１の高さ（即ち、面５２ａの高さ）が、第１の実施形態において説明した、光学フレーム１７の歪みの発生を回避するための適正な位置に調整されておらず、本体側フレーム１６に設けられた取付部３５、５１の平面度が十分に保たれていない状態で、光学フレーム１７を装着することになるため、図１３に示す様に、光学フレーム１７が斜行した状態にある。
【００４２】
ここで、本実施形態においては、上述のごとく、取付台５１の上面５２が４つの面５２ａ〜５２ｄにより階段状に形成されており、取付台５１を光学フレーム１７と略平行にスライドさせることができるため、取付台５１の高さを段階的に調整することができる構成となっている。より具体的には、図１３に示した状態から、取付台５１を、矢印５８の方向に光学フレーム１７と略平行にスライドさせ、支持部材１７ｅが当接する取付台５１の面５２ａを、取付台３５との平面度を確保することができる面５２ｂへと変更することにより、取付台５１の高さを適正な位置に調整することができる。
【００４３】
従って、本体側フレーム１６に設けられた取付台３５、５０、及び５１の平面度が十分に保たれていない状態で、画像読取部１２を本体側フレーム１６に装着した場合であっても、取付台３５、５０、及び５１が光学フレーム１７を支持した状態で、光学フレーム１７の取付面の平面度を確保することができるため、第１の実施形態において説明した効果に加え、更に簡単な構成で、取付台５１の高さを適正な位置に調整する作業を容易に行えるという効果がある。
【００４４】
尚、本発明は、上記実施形態に限定されるものではなく、本発明の趣旨に基づいて各部の構造、形状等を適宜変更することが可能であり、それらを本発明の範囲から除外するものではない。
【００４５】
例えば、上記第１の実施形態においては、調整部材３７を取付台３５の前端部３５ａにのみ設ける構成としたが、この調整部材３７は、上述した光学フレーム１７を支持する取付台３５、３６の４ヶ所部分のうち、少なくとも１ヶ所の高さを調整する様に、取付台３５、３６に設けておけば良く、例えば、取付台３５の前端部３５ａの代わりに後端部３５ｂに取付部材３７を設ける構成としても良く、又、図５に示す様に、光学フレーム１７を支持する４ヶ所の高さを全て調整できる様に、取付台３５の前端部３５ａと後端部３５ｂ、及び取付台３６の前端部３６ａと後端部３６ｂの４ヶ所に各々設ける構成としても良い。
【００４６】
又、第２の実施形態においては、１個の取付台５１を、上面１６ａの他端側に、取付台５０と並列して設ける構成としたが、この取付台５１は、上述した光学フレーム１７を支持する取付台３５、５０、５１の４ヶ所部分のうち、少なくとも１ヶ所の高さを調整する様に、本体側フレーム１６の上面１６ａに設けておけば良く、例えば、光学フレーム１７を支持する４ヶ所の高さを全て調整できる様に、当該取付台５１を取付台３５、及び５０に代替して本体側フレーム１６の上面１６ａに設け、全体として複数個設ける構成としても良い。
【００４７】
又、第２の本実施形態においては、取付台５１の上面５２を４段階に形成しているが、当該上面を更に多段階に形成し、取付台５１の高さの調整精度を向上させる構成としても良い。
【００４８】
【発明の効果】
以上、説明した様に、本発明によれば、画像読取部を本体側フレームに装着するにあたり、本体側フレームに設けられた取付台の平面度が十分に保たれていない状態であっても、光学フレームの取付面の平面度を確保することができるため、光学フレームにおける歪みの発生を回避することができるようになる。従って、原稿の画像情報を精度良く読み取るとともに、当該画像信号に基づいて形成される画像の品質を担保することが可能になる。
【００４９】
又、本実施形態においては、箱状構造体である光学フレームの剛性を向上させるための特殊な構成部材を設ける必要がないため、簡単な構成で、光学フレームの重量の軽量化とコストの低減を図ることができ、又、光学フレームの構造が簡素になるため、製造工程が簡易になる。
【図面の簡単な説明】
【図１】は、本発明の第１の実施形態に係る画像形成装置の全体構成を示す概略図である。
【図２】は、本発明の第１の実施形態に係る画像形成装置における画像読取部の全体構成を示す概略図である。
【図３】は、本発明の第１の実施形態に係る画像形成装置における画像読取部が装着される画像形成装置本体側フレームの概略構成を示す斜視図である。
【図４】は、本発明の第１の実施形態に係る画像形成装置における画像読取部の外観構成を示す斜視図である。
【図５】は、本発明の第１の実施形態に係る画像形成装置における画像読取部が装着される画像形成装置本体側フレームの変形例の概略構成を示す斜視図である。
【図６】は、本発明の第１の実施形態に係る画像形成装置における調整部材の調整機構の具体例を説明するための斜視図である。
【図７】は、本発明の第１の実施形態に係る画像形成装置における調整部材の高さを調整した後の状態を示す斜視図である。。
【図８】は、本発明の第１の実施形態に係る画像形成装置における画像読取部が装着される画像形成装置本体側フレームの概略構成を示す斜視図である。
【図９】は、本発明の第２の実施形態に係る画像形成装置における画像読取部が装着される画像形成装置本体側フレームの概略構成を示す斜視図である。
【図１０】は、本発明の第２の実施形態に係る画像形成装置における取付台の概略構成を示す側面図である。
【図１１】は、本発明の第２の実施形態に係る画像形成装置における取付台の概略構成を示す斜視図である。
【図１２】は、本発明の第２の実施形態に係る画像形成装置における取付台の調整機構の具体例を説明するための上面図である。
【図１３】は、本発明の第２の実施形態に係る画像形成装置における取付台の高さを調整する前の状態を示す側面図である。
【図１４】は、本発明の第２の実施形態に係る画像形成装置における取付台の高さを調整した後の状態を示す側面図である。
【符号の説明】
１      画像形成装置
２      感光体ドラム
３      給紙カセット
４      給紙ユニット
５      帯電ユニット
６      現像ユニット
７      転写ユニット
８      クリーニングユニット
９      定着ユニット
１２      画像読取部
１６      本体側フレーム
１７      光学フレーム
３５、３６      取付台
３７      調整部材
５０、５１      取付台
５２      取付台上面
５３、５６      切り欠き部
５４      ネジ
【図１】
2004274651.tif 000003
【図２】
2004274651.tif 000004
【図３】
2004274651.tif 000005
【図４】
2004274651.tif 000006
【図５】
2004274651.tif 000007
【図６】
2004274651.tif 000008
【図７】
2004274651.tif 000009
【図８】
2004274651.tif 000010
【図９】
2004274651.tif 000011
【図１０】
2004274651.tif 000012
【図１１】
2004274651.tif 000013
【図１２】
2004274651.tif 000014
【図１３】
2004274651.tif 000015
【図１４】
2004274651.tif 000016